(57)【特許請求の範囲】
【請求項１】
光チャンバを画定するガラスハウジングを備える照明デバイスであって、少なくとも１つの固体照明要素が、前記光チャンバ内に取り付けられており、前記光チャンバが、
前記少なくとも１つの固体照明要素の反対側の、前記光チャンバの開口に取り付けられている光出射窓であって、ガラスシールによって前記ガラスハウジングに封止されている封止プレートを有する、光出射窓と、
前記封止プレートと前記少なくとも１つの固体照明要素との間で、前記光チャンバにわたって延在する、光透過性の熱障壁と、を更に備える、照明デバイス。
【請求項２】
前記封止プレートがガラス板である、請求項１に記載の照明デバイス。
【請求項３】
前記ガラスシールが、５００℃未満の融点を有するガラスで作製されている、請求項１又は２に記載の照明デバイス。
【請求項４】
前記ガラスシールが、軟質ガラス、好ましくは、はんだガラスで作製されている、請求項１乃至３のいずれか一項に記載の照明デバイス。
【請求項５】
前記光透過性の熱障壁が、更なるガラス板である、請求項１乃至４のいずれか一項に記載の照明デバイス。
【請求項６】
前記光透過性の熱障壁が、ねじ、接着剤、又はセメントによって、前記ハウジングに取り付けられている、請求項１乃至５のいずれか一項に記載の照明デバイス。
【請求項７】
前記封止プレート及び前記光透過性の熱障壁がそれぞれ、前記照明デバイスの光軸に垂直な平面内に存在している、請求項１乃至６のいずれか一項に記載の照明デバイス。
【請求項８】
前記ガラスハウジングが、前記光チャンバの周りに反射コーティングを含む、請求項１乃至７のいずれか一項に記載の照明デバイス。
【請求項９】
前記照明デバイスが電球である、請求項１乃至８のいずれか一項に記載の照明デバイス。
【請求項１０】
請求項１乃至９のいずれか一項に記載の照明デバイスを備える、照明器具。
【請求項１１】
前記照明器具が、家禽照明器具である、請求項１０に記載の照明器具。
【請求項１２】
照明デバイスを製造する方法であって、
光チャンバを画定するガラスハウジングを準備するステップであって、少なくとも１つの固体照明要素が、前記光チャンバ内に取り付けられており、前記光チャンバが、前記少なくとも１つの固体照明要素の反対側の、光出射開口を更に含む、ステップと、
光透過性の熱障壁が前記光チャンバにわたって延在するように、前記光出射開口と前記少なくとも１つの固体照明要素との間で前記ガラスハウジングに前記光透過性の熱障壁を取り付けるステップと、
前記照明デバイスの光出射窓を画定するために、前記光出射開口に封止プレートを定置するステップと、
前記封止プレートと前記ハウジングとの間にガラス粉末を堆積させるステップ、及び前記ガラス粉末を炎で融解させるステップによって、前記封止プレートを前記ガラスハウジングに封止するステップと、を含む、方法。
【請求項１３】
前記ガラス粉末を炎で融解させるステップが、５００℃未満の温度で前記ガラス粉末を融解させるステップを含む、請求項１２に記載の方法。
【請求項１４】
前記ガラス粉末が、軟質ガラス粉末、好ましくは、はんだガラス粉末である、請求項１２又は１３に記載の方法。
【請求項１５】
前記ガラスハウジングに前記光透過性の熱障壁を取り付けるステップが、ねじ、接着剤、又はセメントで、前記ガラスハウジングに前記光透過性の熱障壁を固定するステップを含む、請求項１２乃至１４のいずれか一項に記載の方法。
【発明の詳細な説明】
【技術分野】
【０００１】
本発明は、光チャンバを画定するガラスハウジングを備える、照明デバイスであって、少なくとも１つの固体照明要素が、光チャンバ内に取り付けられており、光チャンバが、少なくとも１つの固体照明要素の反対側の、光チャンバの開口に取り付けられている、光出射窓を更に含む、照明デバイスに関する。
【０００２】
本発明は更に、そのような照明デバイスを備える照明器具、及び、そのような照明デバイスを製造する方法に関する。
【背景技術】
【０００３】
ＬＥＤ照明などの固体照明は、そのような照明の、環境に配慮した確かな実績により、急速に人気が高まりつつある。典型的には、固体照明（solid state lighting；ＳＳＬ）デバイスは、それらの発光出力を、白熱照明デバイス又はハロゲン照明デバイスの数分の１のエネルギー消費で生成する。更には、固体照明デバイスは、白熱照明デバイス及びハロゲン照明デバイスと比較して、優れた寿命を有するが、これは、少なくとも部分的には、そのような、より伝統的な光源と比較した、ＳＳＬデバイスの衝撃に対する堅牢性の向上によるものである。
【０００４】
多くのＳＳＬ要素ベースの照明デバイスは、ＳＳＬ要素を保護するために、並びに、エンドユーザがＳＳＬ要素に接触し得る（このことは、感電による重篤な負傷をもたらす恐れがある）ことを防止するために、ハウジング内に、例えば、金属反射体（metallic reflector；ＭＲ）電球の場合などのガラスハウジング内に、ＳＳＬ要素を収容している。この目的のために、そのようなハウジングは、典型的には、カバープレートによって封止され、それにより、ハウジング及びカバープレートによって画定された密封空間、例えば光チャンバの内部に、ＳＳＬ要素が配置される。カバープレートは、それ自体が周知であるような、グルー又はセメントなどの接着剤を使用して、ハウジングに取り付けられてもよい。
【発明の概要】
【発明が解決しようとする課題】
【０００５】
腐食性の気体化合物が存在する過酷な環境内で、そのような照明デバイスが使用される場合に、問題が発生する。そのような過酷な環境の一例は、畜産業であり、特に、アンモニア、有機酸、水酸化ナトリウム（ＮａＯＨ）などの廃棄物が環境内に放出される、家禽である。ハウジングにカバープレートを取り付けるために使用される接着剤は、典型的には気密性ではなく、腐食性の気体化合物は、照明デバイスの光チャンバに入り込むことが可能であり、その場合、そのような化合物が、ＳＳＬ要素と、又は、光チャンバ内の反射性金属コーティングと反応することにより、照明デバイスの光学性能を劣化させる恐れがある。反射性の銀コーティングが存在する場合、銀コーティングに、シリカなどの安定な保護酸化物の保護層を適用することが、例えば米国特許第６，７７３，１４１（Ｂ２）号から知られているが、そのような保護コーティングは、そのような過酷な環境による劣化から逃れられない。それゆえ、そのような照明デバイスの光チャンバに、そのような過酷な環境が入り込むことを、完全に防止することが望ましい。
【０００６】
本発明は、そのような過酷な環境内で使用されることが可能な、気密封止された光チャンバを有する照明デバイスを提供することを追求する。
【０００７】
本発明は、更に、少なくとも１つのそのような照明デバイスを含む、照明器具を提供することを追求する。
【０００８】
本発明は、また更に、そのような照明デバイスを製造する方法を提供することを追求する。
【課題を解決するための手段】
【０００９】
一態様によれば、光チャンバを画定するガラスハウジングを備える、照明デバイスであって、少なくとも１つの固体照明要素が、光チャンバ内に取り付けられており、光チャンバが、少なくとも１つの固体照明要素の反対側の、光チャンバの開口に取り付けられている、光出射窓であって、ガラスシールによってガラスハウジングに封止されている封止プレートを有する、光出射窓と、封止プレートと少なくとも１つの固体照明要素との間で、光チャンバにわたって延在する、光透過性の熱障壁とを更に含む、照明デバイスが提供される。
【００１０】
本発明は、カバープレート又は封止プレートを、ガラスシールでハウジングに封止することによって、照明デバイスの光チャンバが、気密封止されることができるという洞察に基づく。以下で更に詳細に説明されるように、このことは、例えば、そのようなシールを形成するために、ガラス粉末を融解させることによって達成されてもよい。しかしながら、そのような封止プロセスにおいて必要とされる熱は、典型的には、光出射窓から少なくとも１つのＳＳＬ要素の取り付け領域へと熱伝導することにより、ＳＳＬ要素が過熱し得る程度までの、ＳＳＬ要素の加熱を引き起こし、それゆえＳＳＬ要素に損傷を与えるが、このことは、照明デバイスの寿命を短くするか、又は、照明デバイスを動作不能にすらさせる恐れがあり、それにより、照明デバイスの製造プロセスの歩留まりが低減する。そのような過熱を防止するために、照明デバイスは、封止プレートと光チャンバ内のＳＳＬ要素との中間に、光透過性の熱障壁を更に備え、それにより、封止プレートをガラスハウジングに封止するために、ガラス粉末の融解の間に生成された、少なくとも１つのＳＳＬ要素に向けた熱エネルギーの伝達が、著しく低減される。
【００１１】
封止プレートは、好ましくはガラス板であるが、これは、そのようなガラス板が、典型的には気密性であり、光チャンバに腐食性の気体化合物が入り込むことを防止する一方で、ガラス板とハウジングとの間にシールを形成するための、ガラス粉末を融解させるために必要とされる温度にも耐えることが可能である。典型的には、封止プレート及び光透過性の熱障壁は、それぞれ、照明デバイスの光軸に垂直な平面内に存在している。
【００１２】
ガラスシールは、ホウケイ酸ガラスなどの硬質ガラスを使用して形成されてもよく、ガラスは、比較的低い熱膨張係数の利点を有するが、ガラスを融解させるためには、例えば１０００℃を超える、比較的高い温度を必要とする。本出願の文脈では、ガラスの融点に言及する場合、この融点は、ガラスが、流動点又は可鍛特性に到達する温度を指すものである点を理解されたい。
【００１３】
しかしながら、少なくとも一部の実施形態では、ガラスシールは、５００℃未満の融点を有するガラスで作製され、このことは、ガラスを融解させるために必要とされる温度が、より低いものとなり、それにより、照明デバイス内の少なくとも１つのＳＳＬ要素の過熱のリスクを、更に低減する利点を有する。そのようなガラスは、それ自体が周知である。例えば、ガラスシール（５１）は、軟質ガラス、例えば、ソーダ石灰ガラス又は酸化鉛ガラス（クリスタルガラス）で作製されてもよい。一実施形態では、シールは、はんだガラス、例えば、系ＰｂＯ−ＺｎＯ−Ｂ２Ｏ３に基づくはんだガラス、及び、例えば米国特許第２，８８９，９５２号で説明されるような他の好適なはんだガラスなどの、例えば、金属に対するガラスセラミックのシールを形成するために使用されるガラスで作製される。
【００１４】
光透過性の熱障壁は、好ましくは、更なるガラス板であるが、これは、熱障壁が、優れた光透過特性を有する一方で、ガラス粉末による照明デバイスの封止の間に、少なくとも１つのＳＳＬ要素に向けて移動する熱エネルギーに耐え、熱エネルギーを吸収することが可能であることを確実にするためである。光透過性の熱障壁は、ねじ、接着剤、又はセメントなどによる任意の好適な方式で、ハウジングに取り付けられてもよい。
【００１５】
少なくとも一部の実施形態では、良好な光学効率を有する照明デバイスを実現するために、ガラスハウジングは、少なくとも１つのＳＳＬ要素によって生成された光を、光出射窓に向けて方向転換させるために、ガラスハウジングの内側表面上などの光チャンバの周りに、反射コーティングを含む。そのような反射コーティングは、任意の好適な反射性材料、例えば、銀コーティング、アルミニウムコーティングなどの金属コーティングで作製されてもよい。
【００１６】
照明デバイスは、金属反射体（ＭＲ）タイプ又は放物線状アルミニウムめっき反射体（parabolic aluminized reflector；ＰＡＲ）タイプの電球などの、電球であってもよい。電球は、任意の好適なタイプの口金、例えば、ＧＵタイプの口金、エジソンタイプの口金、バヨネットタイプの口金などを有してもよい。
【００１７】
別の態様によれば、本明細書で説明される実施形態のうちのいずれかの照明デバイスを備える、照明器具が提供される。そのような照明器具は、有利には、腐食性の気体化合物に照明器具が曝される環境内で使用されてもよいが、これは、前述されたように、そのような化合物に照明デバイスが耐えることができるためである。例えば、照明器具は、家禽照明器具であってもよいが、これは、そのような腐食性の気体化合物、例えばアンモニアが、典型的には、家禽において高濃度で放出されるためである。
【００１８】
更に別の態様によれば、照明デバイスを製造する方法が提供され、方法は、光チャンバを画定するガラスハウジングを準備するステップであって、少なくとも１つの固体照明要素が、光チャンバ内に取り付けられており、光チャンバが、少なくとも１つの固体照明要素の反対側の、光出射開口を更に含む、ステップと、光透過性の熱障壁が光チャンバにわたって延在するように、光出射開口と少なくとも１つの固体照明要素との間で、ガラスハウジングに光透過性の熱障壁を取り付けるステップと、照明デバイスの光出射窓を画定するために、光出射開口に封止プレートを定置するステップと、封止プレートとハウジングとの間にガラス粉末を堆積させるステップ、及びガラス粉末を炎で融解させるステップによって、封止プレートをガラスハウジングに封止するステップとを含む。封止プレートと少なくとも１つのＳＳＬ要素との間で、ガラスハウジング内に光透過性の熱障壁を含めることにより、ガラスシールを形成するための、ガラス粉末の融解の間に炎によって生成された熱エネルギー（熱）が、少なくとも１つのＳＳＬ要素に到達することを、実質的に阻止し、それにより、少なくとも１つのＳＳＬ要素が、過熱すること及び結果として損傷を受けることを防止する。
【００１９】
好ましくは、ガラス粉末を炎で融解させるステップは、融解プロセスの間に生成される熱エネルギーの量を制限するために、５００℃未満の温度でガラス粉末を融解させるステップを含み、それにより、少なくとも１つのＳＳＬ要素を、過熱から更に保護する。このことは、例えば、軟質ガラス粉末であるガラス粉末、好ましくは、はんだガラス粉末を使用して達成されてもよいが、これは、はんだガラス粉末が、異なるタイプの材料、例えば異なるタイプのガラスの間に、ガラスシールを形成するために、特に適しているためである。
【００２０】
ガラスハウジングに光透過性の熱障壁を取り付けるステップは、任意の好適な方式で達成されてもよい。例えば、そのような取り付けるステップは、ねじ、接着剤、又はセメントで、ガラスハウジングに光透過性の熱障壁を固定するステップを含み得る。
【図面の簡単な説明】
【００２１】
添付図面を参照して、本発明の実施形態が、より詳細に非限定的な例として説明される。
【図１】本発明の一実施形態による照明デバイスの分解組立図を概略的に示す。
【図２】本発明の一実施形態による照明デバイスの断面図を概略的に示す。
【図３】本発明の一実施形態による照明デバイスの断面図を概略的に示す。
【図４】本発明の一実施形態による方法を使用して、そのような照明デバイスを製造するステップを概略的に示す。
【図５】本発明の一実施形態による方法を使用して、そのような照明デバイスを製造するステップを概略的に示す。
【図６】本発明の一実施形態による方法を使用して、そのような照明デバイスを製造するステップを概略的に示す。
【発明を実施するための形態】
【００２２】
これらの図は、概略的なものに過ぎず、正しい縮尺ではないことを理解されたい。また、同じ参照番号は、これらの図の全体を通して、同じ部分又は同様の部分を示すことも理解されたい。
【００２３】
図１は、本発明の例示的実施形態による照明デバイス１０の分解組立図を概略的に示し、図２は、照明デバイス１０の断面図を概略的に示す。照明デバイス１０は、ガラスハウジング２０及び口金２２を備え、口金２２は、典型的には、照明デバイス１０を電源に接続するためのコネクタ、例えば、一対のピン、バヨネット取り付け具、エジソン取り付け具などを含む。口金２２は、ガラスハウジング２０の一体部分を形成してもよく、又は代替的に、ガラスハウジング２０とは異なる材料、典型的には電気絶縁材料で作製されている可能性のある、別個の構成要素であってもよく、別個の構成要素は、それ自体が周知であるような任意の好適な方式で、ガラスハウジング２０に取り付けられている。
【００２４】
ガラスハウジング２０は、照明デバイス１０の光チャンバ２１を画定し、光チャンバ２１は、口金２２に対してガラスハウジング２０の遠位端の、光出射窓用の開口２３で終端している。ガラスハウジング２０、又は少なくとも、口金２２と開口２３との間に延在するガラスハウジング２０の部分は、任意の好適形状を有してもよい。少なくとも一部の実施形態では、ガラスハウジング２０は、口金２２から開口２３への方向で、外向きにテーパ状である。例えば、ガラスハウジング２０は、一部の実施形態では、放物線形状を有してもよいが、他のテーパ形状も同様に好適である点を理解されたい。
【００２５】
ガラスハウジング２０は、任意の好適なタイプのガラスで作製されてもよい。例えば、ガラスハウジング２０は、シリカ、アルミナ、石灰、マグネシア、酸化バリウム（ＢａＯ）、及び酸化ホウ素（Ｂ２Ｏ３）を含む、アルミノケイ酸塩ガラスであってもよいが、他のタイプのガラス、例えば、溶融石英ガラス又はホウケイ酸ナトリウムガラスが想到されてもよい。光チャンバ２１を画定するガラスハウジング２０の表面、例えば、ガラスハウジング２０の内側表面は、金属コーティングなどの反射コーティング２５を更に支持してもよい。そのようなコーティングに関する好適な材料としては、銀及びアルミニウムが挙げられるが、他の好適なコーティング材料、例えば、他の好適な金属コーティングが想到されてもよい。
【００２６】
光チャンバ２１内には、１つ以上のＳＳＬ要素３０が、取り付け表面２４上に取り付けられており、取り付け表面２４は、例えば、口金２２の一部を形成してもよい。１つ以上のＳＳＬ要素３０は、取り付け表面２４上に直接取り付けられてもよく、又は、プリント回路基板などの共通の支持体３１上に取り付けられてもよく、共通の支持体３１が、取り付け表面２４上に取り付けられる。あるいは、そのような共通の支持体３１は、光チャンバ２１内に吊り下げられてもよく、この場合には、取り付け表面２４は存在しなくてもよい。１つ以上のＳＳＬ要素３０は、典型的には、それらの発光出力が、例えば反射コーティング２５の助けを借りて、光チャンバ２１の開口２３に向けて方向付けられるように配置されており、反射コーティングは、反射コーティング上に入射する、１つ以上のＳＳＬ要素３０によって生成されたあらゆる光を、開口２３に向けて方向転換させてもよい。任意の好適なタイプのＳＳＬ要素が、この目的に関して使用されてもよい。例えば、１つ以上のＳＳＬ要素３０は、調光可能であってもよいＬＥＤ、例えば白色光ＬＥＤであってもよい。あるいは、１つ以上のＳＳＬ要素３０は、特定のスペクトル組成の、例えば特定の色温度又は色の光を生成するように構成されてもよい。
【００２７】
１つ以上のＳＳＬ要素３０によって生成されるスペクトル組成は、例えば照明デバイス１０の色温度又は色出力を変化させるように、構成可能であってもよい。この目的のため、照明デバイス１０は、照明デバイス１０の発光出力のスペクトル組成を変化させるために、１つ以上のＳＳＬ要素３０を制御するようにコンフィギュレーションされている、コントローラ（図示せず）を更に備えてもよい。そのようなコントローラは、任意の好適な方式で、例えば、電源信号に埋め込まれている制御信号を介して、又は、専用の制御信号、例えば無線制御信号を介して制御されてもよく、無線制御信号の場合、コントローラは、制御信号を受信するための無線通信モジュールを含んでもよい。コントローラは、個々のＳＳＬ要素３０の発光出力のスペクトル組成を変更することにより、又は、ＳＳＬ要素３０の群の構成を変更することにより、照明デバイス１０の発光出力のスペクトル組成を変更するように適合されてもよい。後者は、例えば、照明デバイス３０が、異なる固定スペクトル組成を有するそれぞれの発光出力を生成する、複数のＳＳＬ要素３０を備える場合に適用可能であってもよく、この場合、上述の複数のＳＳＬ要素から、特定のＳＳＬ要素３０を選択することにより、選択されたＳＳＬ要素３０の、それぞれの個々の発光出力の色混合によって、照明デバイス１０の全体的な発光出力の、所望のスペクトル組成を生成することができる。
【００２８】
照明デバイス１０は、開口２３内に封止プレート５０を更に備え、封止プレート５０は、ガラスシール５１によって、ガラスハウジング２０に対して封止されている。封止プレート５０は、ガラスシール５１を形成するために必要とされる温度に耐えることが可能な、光学的に透過性の材料で作製されている。例えば、封止プレート５０は、ガラスなどの光学的に透明な材料、又は光学的に半透明の材料で作製されてもよい。ガラス封止プレート５０の場合には、封止プレート５０のガラス組成は、ガラスハウジング２０のガラス組成と同じであってもよいが、このことは、厳密に必要とされるものではない。ガラスハウジング２０と同様に、封止プレート５０は、任意の好適なタイプのガラスで作製されてもよい。例えば、封止プレート５０は、シリカ、アルミナ、石灰、マグネシア、酸化バリウム（ＢａＯ）、及び酸化ホウ素（Ｂ２Ｏ３）を含む、アルミノケイ酸塩ガラスであってもよいが、他のタイプのガラス、例えば、溶融石英ガラス又はホウケイ酸ナトリウムガラスが想到されてもよい。
【００２９】
ガラスシール５１も同様に、任意の好適なタイプのガラスで作製されてもよいが、好ましくは、ガラスシール５１のガラス組成は、ガラスシール５１が封止プレート５０又はガラスハウジング２０よりも低い融点を有するようなものであり、それにより、ガラスシール５１を形成するためにガラスを融解させる際に、封止プレート５０又はガラスハウジング２０が損傷を受けない。特定の有利な実施形態では、ガラスシール５１のガラス組成は、１０００℃未満の融点を有し、より好ましくは、５００℃未満の融点を有する。例えば、ガラスシール５１は、ソーダ石灰ガラスなどの軟質ガラスで作製されてもよく、又は、更により好ましくは、はんだガラスなどの酸化鉛ガラスで作製されてもよく、これらのガラスは、２つの異なる実体、例えば、異なるタイプの材料で作製されている実体間に、シールを形成するように特別に設計されてもよい。
【００３０】
照明デバイス１は、封止プレート５０と１つ以上のＳＳＬ要素３０との中間の光チャンバ２１内に、光透過性の熱障壁４０を更に含む。光透過性の熱障壁４０は、透明又は半透明であってもよい。光透過性の熱障壁４０及び封止プレート５０は、典型的には、それぞれが照明デバイス１０の光軸１５（そのような光軸１５が存在する場合）に垂直な平面内に存在するように配置されている。光透過性の熱障壁４０は、任意の好適な材料で作製されてもよく、好ましくは、封止プレート５０と同じ組成を有するガラスで作製されるが、代替的には、光透過性の熱障壁は、封止プレート５０の組成とは異なる組成を有するガラスで作製されてもよい。光透過性の熱障壁４０は、任意の好適なタイプのガラスで作製されてもよい。例えば、光透過性の熱障壁４０は、シリカ、アルミナ、石灰、マグネシア、酸化バリウム（ＢａＯ）、及び酸化ホウ素（Ｂ２Ｏ３）を含む、アルミノケイ酸塩ガラスであってもよいが、他のタイプのガラス、例えば、溶融石英ガラス又はホウケイ酸ナトリウムガラスが想到されてもよい。光透過性の熱障壁４０は、任意の好適な方式で、ガラスハウジング２０に取り付けられてもよい。図２では、光透過性の熱障壁４０は、ねじ４１のセットによって、ガラスハウジング２０に取り付けられており、一方、図３では、光透過性の熱障壁４０は、接着剤又はセメントなどの取り付け材料によって、ガラスハウジング２０に取り付けられている。
【００３１】
光透過性の熱障壁４０の目的は、照明デバイス１０の製造中に生成される、あらゆる熱放射に、１つ以上のＳＳＬ要素３０が直接曝されることから保護することであるが、このことについては、本発明の例示的実施形態による、そのような照明デバイス１０の製造方法の主要ステップを概略的に示す、図４〜図６の助けを借りて、より詳細に説明されるであろう。図４で概略的に示されるように、そのような製造方法は、典型的には、前述のような光チャンバ２１を画定するガラスハウジング２０の準備を含み、少なくとも１つのＳＳＬ要素３０が、光チャンバ２１の開口２３の反対側に取り付けられるように、少なくとも１つのＳＳＬ要素３０が、光チャンバ２１内に取り付けられている。そのような中間構造体を準備することは、当業者には全く造作ないことであり、それゆえ、このことは簡潔性のためにのみ、更に詳細に説明されることはない。
【００３２】
図５で概略的に示されるように、次のステップで、光透過性の熱障壁４０が光チャンバ２１にわたって延在するように、光透過性の熱障壁４０が、光出射開口２３と少なくとも１つの固体照明要素３０との間で、ガラスハウジング２０に取り付けられる。前述のように、光透過性の熱障壁４０は、任意の好適な方式で、例えば、ねじなどの取り付け手段、又は、接着剤若しくはセメントなどの取り付け材料を使用して、ガラスハウジングに取り付けられてもよい。
【００３３】
照明デバイス１０の製造は、照明デバイス１０の光出射窓を画定するために、光出射開口２３内に封止プレート５０を定置するステップと、その後に続けて、封止プレート５０とガラスハウジング２０との間にガラス粉末５３を堆積させるステップ、及びガラス粉末５３を炎５５で融解させるステップによって、封止プレート５０をガラスハウジング２０に封止するステップとによって、完了されてもよい。本出願の文脈では、炎５５は、ガラス粉末５３を融解させる十分に高いエネルギー束に、ガラス粉末５３を曝すことにより、ガラスハウジング２０と封止プレート５０との間に、ガラスシール５１を形成することが可能な、任意の好適な熱源を表す。前述のように、ガラス粉末５３は、好ましくは、少なくとも１つのＳＳＬ要素３０に向けた熱放射束を制限するために、５００℃未満の温度でガラス粉末５３が融解することを可能にする組成を有し、このことは、ソーダ石灰ガラス組成物、又は、はんだガラス組成物、例えば酸化鉛ガラス組成物などの、ガラス組成物を使用して達成されてもよい。
【００３４】
ガラスシール５１は、光チャンバ２１が気密封止され、特に、気体化合物に対して不透過性であることを確実にするものであり、それにより、照明デバイス１０は、アンモニアなどの腐食性の気体化合物が普通に存在し得る環境内で、使用されてもよい。そのような腐食性の気体化合物は、例えば、家畜が存在する閉鎖された農業環境内に一般的に存在し、このことは、限定するものではないが、特に家禽環境において当てはまる。結果として、ガラスシール５１は、反射コーティング２５（存在する場合）及び少なくとも１つのＳＳＬ要素３０などの、光チャンバ２１の内部が、そのような腐食性の気体化合物に曝されないことを確実にし、それにより、少なくとも照明デバイス１０の光学性能の維持の観点から、照明デバイス１０の寿命を延ばす。
【００３５】
ガラス粉末５３でガラスハウジング２０に封止プレート５０を封止する間、炎５５に対するガラス粉末５３の曝露から生じる熱放射束が、少なくとも１つのＳＳＬ要素３０を過熱しないように注意を払わなければならず、過熱は、特にＳＳＬ要素が１００℃を超える温度まで加熱される場合に、そのようなＳＳＬ要素の故障を引き起こす恐れがある。封止プレート５０とガラスハウジング２０との間のガラスシール５１の形成の間の、そのような過熱は、光出射開口２３と少なくとも１つのＳＳＬ要素３０との中間の、光透過性の熱障壁４０によって防止され、光透過性の熱障壁４０は、ガラス粉末５３の融解プロセスの間に生成された熱放射を、反射及び／又は吸収することにより、少なくとも１つのＳＳＬ要素３０に到達する熱放射束を、少なくとも一時的に低減し、結果として、少なくとも１つのＳＳＬ要素３０を過熱から保護する。光透過性の熱障壁４０の熱容量は、典型的には、ガラス粉末５３でガラスハウジング２０に封止プレート５０を封止するプロセスの持続時間にわたって生成される熱放射の殆どを、光透過性の熱障壁４０が吸収することができるようなものであり、それにより、少なくとも１つのＳＳＬ要素３０は、穏やかな温度上昇に曝されるのみであり、すなわち、１００℃を遥かに下回る温度に到達することにより、少なくとも１つのＳＳＬ要素３０を、過熱に至る熱放射障害から保護し、結果として、照明デバイス１０の製造歩留まりを向上させる。
【００３６】
照明デバイス１０は、少なくとも一部の実施形態では電球であり、電球は、任意の好適な形状を有してもよい。例えば、電球は、任意の好適なタイプ又は寸法のコネクタを有する、ＭＲタイプ若しくはＰＡＲタイプの電球であってもよいが、本発明の照明デバイス１０の実施形態は、そのような電球に限定されるものではない点を理解されたい。照明デバイス１０、例えば１つ以上の電球は、照明器具、例えば、トロッファ又は天井吊り下げ照明器具などの天井取り付け式照明器具の、一部を形成してもよく、例示的実施形態の照明器具は、家禽空間などの閉鎖された畜産空間の照明用に、特別に設計されている。
【００３７】
上述の実施形態は、本発明を限定するものではなく、むしろ例示するものであり、当業者は、添付の特許請求の範囲から逸脱することなく、多くの代替的実施形態を設計することが可能となる点に留意されたい。請求項では、括弧内のいかなる参照符号も、その請求項を限定するものとして解釈されるべきではない。「備える（comprise）」という語は、請求項で列挙されるもの以外の要素又はステップの存在を排除するものではない。要素に先行する語「１つの（a）」又は「１つの（an）」は、複数のそのような要素の存在を排除するものではない。本発明は、いくつかの別個の要素を備えるハードウェアによって実装することができる。いくつかの手段を列挙するデバイスの請求項では、これらの手段のうちのいくつかは、ハードウェアの１つの同じアイテムによって具現化されることができる。特定の手段が、互いに異なる従属請求項内に列挙されているという単なる事実は、これらの手段の組み合わせが、有利に使用され得ないことを示すものではない。
【要約】
光チャンバ２１を画定するガラスハウジング２０を備え、少なくとも１つの固体照明（ＳＳＬ）要素３０が光チャンバ内に取り付けられている、照明デバイス１０が開示される。光チャンバ２１は、少なくとも１つの固体照明要素の反対側の、光チャンバの開口２３内に取り付けられている、光出射窓５０であって、ガラスシール５１によってガラスハウジングに封止されている封止プレートを有する、光出射窓と、封止プレートと少なくとも１つの固体照明要素との間で、光チャンバにわたって延在しており、ガラスシール５１の形成の間に、少なくとも１つのＳＳＬ要素３０を熱損傷から保護する、光透過性の熱障壁４０とを更に含む。また、そのような照明デバイスを含む照明器具、及び、そのような照明デバイスを製造する方法も開示される。【図１】
0006703652.tif 000002
【図２】
0006703652.tif 000003
【図３】
0006703652.tif 000004
【図４】
0006703652.tif 000005
【図５】
0006703652.tif 000006
【図６】
0006703652.tif 000007